(57)【要約】【課題】携帯性に優れ、簡便な操作で満足な冷感を得られ、使用性も高く、安全な身体の冷却器及び冷却方法を提供する。【手段】金属製の冷却部２と、前記冷却部２と一体に形成されるか前記冷却部が嵌合装着する台座部３と、前記台座部３と一体に形成されるか前記台座部が嵌合装着し、前記エアゾール容器のステムに装着されるステム装着部４とを備える冷却用ヘッド１を、エアゾール容器９に装着し、冷却器１２とする。冷却用ヘッド１を押下することによりステム装着部４を介してエアゾール容器９のステムが下降してノズルからエアゾール容器９内の液化ガスが噴射され、噴出した液化ガスの揮発に伴う気化潜熱によって、冷却部２が冷却される。これを冷却対象部位に接触させることにより、簡便に身体を冷却させることができ、また使用感に優れる。【選択図】図３
2014033946.tif 000002
【特許請求の範囲】
【請求項１】
エアゾール容器に装着される冷却用ヘッドであって、
金属製の冷却部と、
前記冷却部と一体に形成されるか、前記冷却部が嵌合装着する台座部と、
前記台座部と一体に形成されるか、前記台座部が嵌合装着する前記エアゾール容器のステムに装着されるステム装着部と、を備える冷却用ヘッド。
【請求項２】
前記冷却部と前記台座部とによって、前記エアゾール容器から噴出される内容物が一時的に貯留される貯留部が形成される、請求項１に記載の冷却用ヘッド。
【請求項３】
前記台座部が１又は複数の通気孔を備える、請求項１又は２に記載の冷却用ヘッド。
【請求項４】
前記貯留部に液化ガス保持部材をさらに備える、請求項２又は３に記載の冷却用ヘッド。
【請求項５】
前記台座部の外側を覆うカバー部材をさらに備え、前記カバー部材はその上端近傍に内側への反し部を有する、請求項１〜４のいずれか一項に記載の冷却用ヘッド。
【請求項６】
内容物の充填されたエアゾール容器に、請求項１〜５のいずれか一項に記載の冷却用ヘッドが装着された、冷却器。
【請求項７】
前記内容物は液化ガスが１００質量％である、請求項６記載の冷却器。
【請求項８】
冷却器を用いる身体の冷却方法であって、
前記冷却器は、液化ガスが充填されているエアゾール容器に、金属製の冷却部を備える冷却用ヘッドが装着しているものであり、
前記液化ガスを噴射して前記冷却部を冷却した後、該冷却部を対象部位に接触させることを特徴とする、身体の冷却方法。
【発明の詳細な説明】
【技術分野】
【０００１】
本発明は、エアゾール容器内に収容されている液化ガスにより冷却される金属製の冷却部を備える冷却用ヘッドを装着した冷却器、及びこれを用いる身体の冷却方法に関する。
【背景技術】
【０００２】
従来、緊張感を和らげたり肌の美容のための手入れをしたりするのに、顔面や身体表面等を冷やすことが一般に行われている。また、運動後のほてりや筋肉痛を解消するためにも、冷却処置はよく行われている。また、近年、夏の暑さによる不快感解消や熱中症対策のため、日常生活の中で体を局所的に冷やす場面が増えてきている。
【０００３】
体を局所的に冷やすための様々な冷却用製品としては様々なものが開発されており、実際に販売されている。
例えば、蓄冷剤や電力により冷やした金属板を備えるハンディタイプの冷却器具が挙げられ、これらは冷えた金属板を対象部位に当てて使用される。
また、液化ガス及び冷却剤を含む内容物を充填したエアゾール容器から、該内容物を身体の対象部位に噴射させ、内容物の揮発に伴う気化潜熱によって身体を冷却するスプレー製剤も知られている（例えば特許文献１〜２）。
【先行技術文献】
【特許文献】
【０００４】
【特許文献１】特開平７−２５０８５９号公報
【特許文献２】特開２００３−１９３０４３号公報
【発明の概要】
【発明が解決しようとする課題】
【０００５】
しかしながら、前述した金属板を備える既存の冷却器具は、使用前に蓄冷剤の予冷が必要だったり、十分な冷感を得られなかったり、携帯性に劣ったり、廉価でもないため、必ずしも使用者に満足感を与えられるものではない。
また、前述したスプレー製剤は、体に直接エアゾール容器の内容物が噴射されるため、肌や服が濡れてべたつきが生じたり汚れたりする問題があった。また、噴射された内容物が飛散して吸引してしまうことによる安全性の面でも十分とは言い難い。
【０００６】
本発明は、上記課題に鑑みてなされたものであり、携帯性に優れ、簡便な操作で満足な冷感を得られ、使用性も高く、安全な身体の冷却器を提供することを目的とする。
【課題を解決するための手段】
【０００７】
本発明者らは鋭意研究を行った結果、エアゾール容器内に収容されている液化ガスの噴射により金属製の冷却部を冷やして、該冷却部を対象部位に接触させて用いる形式の、新しい冷却器にかかる発明を完成した。
すなわち、本発明は以下のとおりである。
【０００８】
本発明の第一の態様は、エアゾール容器に装着される冷却用ヘッドである。具体的には、
（１）エアゾール容器に装着される冷却用ヘッドであって、
金属製の冷却部と、
前記冷却部と一体に形成されるか、前記冷却部が嵌合装着する台座部と、
前記台座部と一体に形成されるか、前記台座部が嵌合装着する前記エアゾール容器のス
テムに装着されるステム装着部と、を備える冷却用ヘッドである。
（２）また、本発明の冷却用ヘッドにおいては、前記冷却部と前記台座部とによって、前記エアゾール容器から噴出される内容物が一時的に貯留される貯留部が形成されることが好ましい。
（３）また、本発明の冷却用ヘッドにおける前記台座部は、１又は複数の通気孔を備えることが好ましい。
（４）また、本発明の冷却用ヘッドは、前記貯留部に液化ガス保持部材をさらに備えることが好ましい。
（５）また、本発明の冷却用ヘッドは、前記台座部の外側を覆うカバー部材をさらに備え、前記カバー部材はその上端近傍に内側への反し部を有することが好ましい。
【０００９】
本発明の第二の態様は、冷却器である。具体的には、
（６）内容物の充填されたエアゾール容器に、本発明の冷却用ヘッドが装着された、冷却器である。
（７）また、本発明の冷却器における前記内容物は、液化ガスが１００質量％であることが好ましい。
【００１０】
本発明の第三の態様は、身体の冷却方法である。具体的には、
（８）冷却器を用いる身体の冷却方法であって、
前記冷却器は、液化ガスが充填されているエアゾール容器に、金属製の冷却部を備える冷却用ヘッドが装着しているものであり、
前記液化ガスを噴射して前記冷却部を冷却した後、該冷却部を対象部位に接触させることを特徴とする、身体の冷却方法である。
【発明の効果】
【００１１】
本発明によれば、冷却用ヘッドを押下してエアゾール容器内の液化ガスを噴射させ、該液化ガスの揮発に伴う気化潜熱によって前記冷却部が冷却されるので、簡便な操作で、かつ使いたいときにすぐに身体の冷却を行うことができる。また、エアゾール容器から噴射された液化ガスが肌や服に直接触れることがないため、不快感を生じることもなく、また液化ガスが飛散したりそれを吸引することもないため安全性にも優れている。また、予冷や充電等も不要であるため、携帯性にも優れる。また、噴射時間を調節することにより、冷却温度を用途や好みに合わせて適宜調整することができるため、満足な使用感が得られる。
【図面の簡単な説明】
【００１２】
【図１】本発明の冷却用ヘッドの一実施形態の正面図である。
【図２】図１の上面図である。
【図３】図１のＡ−Ａ’線断面図である。
【図４】本発明の冷却器の一実施形態の正面図である。
【図５】図４の上面図である。
【図６】図４のＢ−Ｂ’線断面図である。
【図７】本発明の冷却用ヘッドの一実施形態の台座部の上面図である。
【図８】本発明の冷却器の一実施形態の断面図である。
【図９】図８のＣ部の拡大図である。
【図１０】試験例２−１における、冷却部の温度の経時変化を表すグラフである。
【図１１】試験例２−２における、冷却部の温度の経時変化を表すグラフである。
【発明を実施するための形態】
【００１３】
以下、本発明の一実施形態を図１〜９に基づいて詳細に説明するが、本発明はこれらに限定されるものではない。
図１〜３に示すように、本実施形態の冷却用ヘッド１は、冷却部２と、台座部３と、ステム装着部４とを備える。図４〜６に示すように、冷却用ヘッド１は、液化ガスが充填されたエアゾール容器９に装着されて、冷却器１２を構成する。
【００１４】
冷却部２は金属製であり、熱伝導効率の観点からアルミ製又はステンレス製であることが好ましい。
台座部３は、図３に示すように冷却部２が台座部３に嵌合装着している形態であるか、冷却部２と一体に形成されている。冷却部２が台座部３に嵌合装着している場合、エアゾール容器から噴出される液化ガスが嵌合部位の隙間から洩れるのを防ぐため、嵌合部位にオーリング等の緩衝部材をはさんでもよい。その際、台座部３の嵌合部位にはそのような緩衝部材を設置するための凹部１１を設けてもよい。
冷却部２は後述するように身体を冷却する際に対象部位に接触させる部分であるため、冷却効率を上げたい場合はその接触面積を大きくすればよい。また、通常は冷却用ヘッドの上面及び側面に設けられ、その上面部の形状は円形でもよく矩形でもよいが、エアゾール容器の形状と同じであると好ましい。
【００１５】
ステム装着部４は、台座部３と一体に形成されるか、ステム装着部４が台座部３に嵌合装着しており、エアゾール容器９のステムに装着することが出来る。したがって、ステム装着部４によって、冷却部２及び台座部３はエアゾール容器のステムに装着され、冷却用ヘッド１を押下することによりステム装着部４を介してエアゾール容器９のステムが下降してノズルからエアゾール容器９内の液化ガスが噴射される。噴出した液化ガスの揮発に伴う気化潜熱によって、冷却部２近傍の空気及び冷却部２が冷却される。
台座部３及びステム装着部４の材質は特に限定されないが、軽量で耐久性も良いポリプロピレンなどの樹脂が好ましく挙げられる。
【００１６】
本発明の冷却用ヘッド１には、好ましくは、冷却部２と台座部３とによって、エアゾール容器９から噴出した液化ガス及び冷却された空気が一時的に貯留される空間（貯留部５）が形成される。これにより、冷却用ヘッド１からの液化ガスの急激な漏れを防ぐことが出来る。なお、貯留部５の大きさ（容積）は、使用用途に応じて適宜設計することができるが、携帯性の観点から、１５〜２３ｍＬが好ましく、１７〜２１ｍＬがより好ましい。
貯留部５は冷却部２と台座部３とによって閉塞された空間であるが、密閉状態ではなく、気化した液化ガスが透過できる程度の通気孔６を台座部３に設ける。これは、気化した液化ガスの膨張により、エアゾール容器９から冷却用ヘッド１が外れてしまうのを防ぐためや、液化ガスを速やかに気化させるためである。通気孔６を設ける位置は特に限定されず、例えば図７は、台座部の底面に通気孔６を４個設けた一態様を示す。通気孔６の大きさや数は任意に設定できるが、小さすぎたり数が少なすぎたりするとエアゾール容器９から冷却用ヘッド１が外れたり、冷却部２の冷却に時間を要する。また、大きすぎたり数が多すぎたりすると冷却用ヘッド１からの液化ガスの漏れが生じるため、設計の際に留意する。
【００１７】
また、前記貯留部５には液化ガス保持部材が備えられていることが好ましい。これにより、貯留部５に貯留された液化ガスの経時的な漏れを抑えるとともに、冷却部２の冷却状態が長時間維持される。液化ガス保持部材は、貯留部５の体積の８０〜９５％を占めるように備えられていることが好ましい。
液化ガス保持部材の形態は、繊維、スポンジ、フレーク等特に限定されないが、加工・製造の容易さからスポンジ状が好ましい。
また、液化ガス保持部材の材料は特に限定されないが、安全で液化ガスを効率的に保持する観点から、セルロースが特に好ましい。
【００１８】
また、図８に示すように、冷却用ヘッド１は、台座部３の外側面を覆うカバー部材７を
さらに備えることが好ましい。図９に示すように、カバー部材７は好ましくはその上端近傍に内側への反し部８を有する。これにより、冷却器１２が転倒したり、または倒立させた状態で使用する際に、エアゾール容器９から噴出した液化ガスの漏出を二重に防ぐことができる。
【００１９】
また、図８に示すように、冷却用ヘッド１には、カバー部材７に嵌合装着し着脱可能なキャップ部材１０をさらに備えていてもよい。キャップ部材１０を備えることで、携帯中など、意図しないときに冷却用ヘッド１が押下されてエアゾール容器９から液化ガスが噴射されるのを防ぐことができる。なお、冷却用ヘッド１にカバー部材７を備えない場合は、キャップ部材１０はエアゾール容器９に嵌合装着することもできる。
【００２０】
本発明のエアゾール容器９に充填された内容物は、液化ガスを含む。液化ガスの含有量は、冷却効果の確保の観点から内容物全体の５〜１００質量％であることが好ましく、より好ましくは９０〜１００質量％、特に１００質量％であることが好ましい。液化ガスのみ（１００質量％）が充填されて、その他の成分（アルコールや香料などの添加物）は充填されていない場合は、エアゾール容器９への充填作業が容易であり、製造コストも安価となる。さらに液化ガスのみであると、冷却部２を急速に低温まで冷却することができる。
なお、本発明において液化ガスとは、例えば、液化石油ガス（ＬＰＧ）；ブタン、イソブタン、プロパン、イソペンタン等、ジメチルエーテル（ＤＭＥ）、１，１，１，２−テトラフルオロエタン、１，１−ジフルオロエタン、トランス−１，３，３，３−テトラフルオロプロペン等を１種又は２種以上を任意に適用できる。また、二酸化炭素、酸素、窒素等の圧縮ガスも液化ガスと混合して内容物とすることができる。
【００２１】
エアゾール容器９は、一般的に使用されているエアゾール容器を用いることができ、また、その容量や噴射バルブ口径等も任意の大きさのものを適用できる。例えば、大きな容量のものを用いて噴射回数を大きくすることもできるし、小さな容量のものを用いて携帯性を向上させることもできる。また、噴射口径を大きくすれば冷却部２を即時冷却させることができる。
また、噴射バルブは正立、倒立、正倒立のいずれのタイプでもよく、安全性や経済性の観点から正立タイプを採用することもできるし、逆向きにしても噴射可能な倒立タイプを採用しもよい。
【００２２】
次に、本実施形態の冷却器を用いる身体の冷却方法について説明する。
前述したように、本実施形態の冷却用ヘッドを押下することにより、ステム装着部４を介してエアゾール容器９のステムが下降してノズルからエアゾール容器９内の液化ガスが噴射され、該液化ガスの揮発に伴う気化潜熱によって、冷却部２が冷却される。数秒程度の噴射時間で、冷却部２は即時かつ十分に冷却される（２８℃で使用して５〜２０℃程度）。また、長めに噴射すれば（５秒以上程度）、噴射終了後も数分〜数十分は冷却部２の冷却状態が持続する。これを冷却対象部位に直接または当て布等を介して接触させることにより、簡便に身体を冷却させることができる。
使用対象部位としては、首、肩、顔、脚、腰等、特に制限されず、使用目的に合わせて任意に適用できる。使用目的としては、夏の暑さによる不快感解消や熱中症対策、緊張感緩和、美容のための肌の手入れ、運動後のほてりや筋肉痛を解消等、種々のものが挙げられる。
【００２３】
本発明の冷却器は、上記のように操作が簡便であり、使いたいときにすぐに身体の冷却を行うことができる。また、エアゾール容器から噴射された液化ガスが肌や服に直接触れることがないため不快感を生じることもなく、液化ガスが飛散したりそれを吸引することもないため安全性にも優れている。また、前述した既存の冷却器具のように予冷や充電等
も不要であるため、携帯性にも優れる。また、使用の際に噴射時間を調節することにより、冷却温度を用途や好みに合わせて適宜調整することができるため、満足な使用感が得られる。
【００２４】
なお、本発明の冷却用ヘッド及び冷却器は、上述した実施形態に限定されるものではなく、適宜、変形、改良等が自在である。その他、上述した実施形態における各構成要素の材質、形状、寸法、数値、形態、数、配置場所等は本発明を達成できるものであれば任意であり、限定されない。
【実施例】
【００２５】
＜試験例１＞
種々の材料のスポンジを液化ガス保持部材として用いて、その液化ガス保持能を比較した。
アルミ製の冷却部と台座部とにより直径３１ｍｍ、高さ２５ｍｍの円筒形の貯留部を形成した本発明の冷却用ヘッドを、ＬＰＧのみを充填した噴射バルブ口径０．４ｍｍのエアゾール容器に装着した。該貯留部には表１に示す各材料を、直径３０ｍｍ、高さ２５ｍｍの円柱状に成形して設置した。正立の状態でエアゾール容器からＬＰＧを連続噴射し、台座部の外にＬＰＧが漏れだすまでの時間を測定し、３回の測定値の平均を算出した。結果を表１に示す。
表１から明らかなように、セルロースは他の材料と比べて液漏れに要する時間が長く、安全で効率的な材料であった。
【００２６】
【表１】
2014033946.tif 000003
【００２７】
エアゾール容器に充填する内容物について、添加物の有無による冷却効果を比較した。＜試験例２−１＞
アルミ製の冷却部と台座部とにより直径３８ｍｍ、高さ１５ｍｍの円筒形の貯留部に直径３８ｍｍ、高さ１４ｍｍの円柱状に成形したセルロース製スポンジ（液化ガス保持部材）を備えた本発明の冷却用ヘッドを、噴射バルブ口径０．４ｍｍのエアゾール容器に装着した。エアゾール容器の内容物としては、ＬＰＧのみ、又はＬＰＧ９５質量％＋エタノール４．７５質量％＋プロピレングリコール０．２５質量％を用いた。かかる冷却器を室温（２７℃）下で正立で２秒間噴射し、噴射後は冷却部に触れずに静置し、冷却部の表面温度をＡ＆Ｄ赤外線放射温度計（株式会社エーアンドディ製）を用いて経時測定した。測定した冷却部の温度を図１０に示す。
【００２８】
＜試験例２−２＞
エアゾール容器の噴射バルブ口径が０．５ｍｍのものを用いたこと以外は、試験例２−
１と同様の試験を行った。測定した冷却部の温度を図１１に示す。
【００２９】
試験例２−１及び２−２より、添加物を含有せずＬＰＧのみを含む内容物であるほうが、冷却部の表面温度が低く、かつその冷却状態が長時間維持されることが示された。また、噴射バルブの口径が大きいほうが、冷却部の表面温度をより低温に維持できることも示された。
【符号の説明】
【００３０】
１：冷却用ヘッド
２：冷却部
３：台座部
４：ステム装着部
５：貯留部
６：通気孔
７：カバー部材
８：反し部
９：エアゾール容器
１０：キャップ部材
１１：凹部
１２：冷却器
【図１】
2014033946.tif 000004
【図２】
2014033946.tif 000005
【図３】
2014033946.tif 000006
【図４】
2014033946.tif 000007
【図５】
2014033946.tif 000008
【図６】
2014033946.tif 000009
【図７】
2014033946.tif 000010
【図８】
2014033946.tif 000011
【図９】
2014033946.tif 000012
【図１０】
2014033946.tif 000013
【図１１】
2014033946.tif 000014